(57)【要約】      （修正有）【課題】ゴルフクラブ購入前後にあたってクラブのフェース角等をプレーヤーの好みに応じて、該ゴルフヘッドの凹み部へ、プレートを組み入れて、微妙にフェース角等の調整が可能なゴルフクラブヘッド及びソールプレートを提供する。【解決手段】ソールプレート５は、数種類あって、所望のプレートを選んで、該ヘッドの凹み部へ２本のネジで固定し、かつ微妙な調整の場合、調整板１５，１６を使うように構成した。【選択図】図７
0003136800.tif 000002
【実用新案登録請求の範囲】
【請求項１】
ゴルフクラブのヘッドのソール面に該凹設されたヘッドに於いて、凹み部に組み入れられる、角度調整のためのソールプレートは、ソールプレート１、ソールプレート２、ソールプレート３、ソールプレート４、の形状の違うものが３種類あり、内いずれか１つのソールプレートと孔なしの調整板、又は、孔ありの調整板のいずれか１つ及び固定のための２個のネジからなり、更に、
前記ソールプレート１の形の違うものが３種類、ソールプレート２の形の違うものが３種類、ソールプレート３の形の違うものが３種類、及びソールプレート４の形の違うものが３種で、合計１２種類で、この内の１個を使い、微調整の場合、孔なしの調整板／孔ありの調整板の内の１つを使用するが、固定の為の２本のネジでプレートを該ヘッドの凹み部へ固着され、
前記ソールプレート１が３種類で、共通点がムク状で２個のネジの孔があり，
／平面から見てフェース側の幅がバックフェース側の幅より広い形の略台形体で、又は略平行で、プレートを横から見て、バックフェース側に徐々に高くなるクサビ状、
／平面形体が、ソールプレートの横の線、ソールプレートの縦の線及びソールプレートの縦の線その１を結ぶ線が略曲線状で、平面形状が略台形体で、又は略平行で、プレートを横から見て、バックフェース側に徐々に高くなるクサビ状、
／プレートを横から見て、上側の線が略曲線状の形体で、横から見てバックフェース側に徐々に高くなるクサビ状で、平面から見てフェース側の幅がバックフェース側の幅より広い形の略台形体で、又は略平行、
前記ソールプレート２が３種で、共通点が底側に蓋のない箱型で、２個のネジの孔あり、
／平面から見てフェース側の幅がバックフェース側の幅より広い形の略台形体で、又は略平行で、プレートを横から見て、バックフェース側に徐々に高くなるクサビ状、
／平面形体が、ソールプレートの横の線、ソールプレートの縦の線及びソールプレートの縦の線その１を結ぶ線が略曲線状で、平面形状が略台形体で、又は略平行で、プレートを横から見て、バックフェース側に徐々に高くなるクサビ状、
／プレートを横から見て、上側の線が略曲線状の形体で、横から見てバックフェース側に徐々に高くなるクサビ状で、平面から見てフェース側の幅がバックフェース側の幅より広い形の略台形体で、又は略平行、
前記ソールプレート３が３種で、共通点が中空で、空洞が１個か、或いは２個又は３個を設けて２個のネジの孔があり，
／平面から見てフェース側の幅がバックフェース側の幅より広い形の略台形体で、又は略平行で、プレートを横から見て、バックフェース側に徐々に高くなるクサビ状、
／平面形体が、ソールプレートの横の線、ソールプレートの縦の線及びソールプレートの縦の線その１を結ぶ線が略曲線状で、平面形状が略台形体で、又は略平行で、プレートを横から見て、バックフェース側に徐々に高くなるクサビ状、
／プレートを横から見て、上側の線が略曲線状の形体で、横から見てバックフェース側に徐々に高くなるクサビ状で、平面から見てフェース側の幅がバックフェース側の幅より広い形の略台形体で、又は略平行、
前記ソールプレート４が３種で、共通点が空洞の箱形で、固定のための２本のネジの孔があり、箱形の空洞の形状が、プレートの内側に１つの部屋にした形で、底側に２本のネジのための孔があり、
／平面から見てフェース側の幅がバックフェース側の幅より広い形の略台形体で、又は略平行で、プレートを横から見て、バックフェース側に徐々に高くなるクサビ状、
／平面形体が、ソールプレートの横の線、ソールプレートの縦の線及びソールプレートの縦の線その１を結ぶ線が略曲線状で、平面形状が略台形体で、又は略平行で、プレートを横から見て、バックフェース側に徐々に高くなるクサビ状、
／プレートを横から見て、上側の線が略曲線状の形体で、横から見てバックフェース側に徐々に高くなるクサビ状で、平面から見てフェース側の幅がバックフェース側の幅より広い形の略台形体で、又は略平行、
以上の種類のうち１個と、微調整の場合、孔なしの調整板／孔ありの調整板の、いずれもその内の１種を使い、この調整板を１枚又は複数枚を固定の為の２本のネジで、ソールプレート１個をヘッドの凹み部へ２本のネジで固着され、前記ソールプレート１、２、３、４の共通形状が、ソールプレートのフェース側の高さがヘッドのソール面と面一である様にヘッドに組みこまれることを特徴とするゴルフクラブ。
【請求項２】
前記ソールプレート１、  の１は、ムク状で、２個の孔があり、平面から見てフェース側の幅がバックフェース側の幅より広い形で平面形状が略台形体で、又は略平行で、プレートを横から見て、バックフェース側が徐々に高くなるクサビ状で、重さの違いが数種あり、ソールプレートのフェース側の高さがヘッドのソール面と面一である様にヘッドに組みこまれることを特徴とする請求項１に記載のゴルフクラブ。
【請求項３】
前記ソールプレート１、  の２は、ムク状で、２個の孔があり、平面形体が、ソールプレートの横の線、ソールプレートの縦の線及びソールプレートの縦の線その１を結ぶ線が略曲線状の略台形体で、又は略平行で、横から見てバックフェース側が徐々に高くなるクサビ状の形体で、重さの違いが数種あり、ソールプレートのフェース側の高さがヘッドのソール面と面一である様にヘッドに組みこまれることを特徴とする請求項１に記載のゴルフクラブ。
【請求項４】
前記ソールプレート１、  の３は、ムク状で、２個の孔があり、平面から見てフェース側の幅がバックフェース側の幅より広い形が略台形体で、又は略平行で、プレートを横から見て、バックフェース側に徐々に高くなるクサビ状で、プレートを横から見て、上側の線が略曲線状で、重さの違いが数種あり、ソールプレートのフェース側の高さがヘッドのソール面と面一である様にヘッドに組みこまれることを特徴とする請求項１に記載のゴルフクラブ。
【請求項５】
前記ソールプレート２、  の１は、底側に蓋がない箱型で、２個の孔があり、平面から見てフェース側の幅がバックフェース側の幅より広い形で、平面形状が略台形体で、又は略平行で、プレートを横から見て、バックフェース側に徐々に高くなるクサビ状で、重さの違いが数種あり、ソールプレートのフェース側の高さがヘッドのソール面と面一である様にヘッドに組みこまれることを特徴とする請求項１に記載のゴルフクラブ。
【請求項６】
前記ソールプレート２、  の２は、底側に蓋がない箱型で、２個の孔があり平面形体が、ソールプレートの横の線、ソールプレートの縦の線及びソールプレートの縦の線その１を結ぶ線が略曲線状の略台形体で、又は略平行で、横から見てバックフェース側に徐々に高くなるクサビ状の形体で、重さの違いが数種あり、ソールプレートのフェース側の高さがヘッドのソール面と面一である様にヘッドに組みこまれることを特徴とする請求項１に記載のゴルフクラブ。
【請求項７】
前記ソールプレート２、  の３は、底側に蓋がない箱型で、２個の孔があり平面から見てフェース側の幅がバックフェース側の幅より広い形体で、平面形状が略台形体で、又は略平行で、プレートを横から見て、バックフェース側に徐々に高くなるクサビ状で、プレートを横から見て、上側の線が略曲線状で、重さの違いが数種あり、ソールプレートのフェース側の高さがヘッドのソール面と面一である様にヘッドに組みこまれることを特徴とする請求項１に記載のゴルフクラブ。
【請求項８】
前記ソールプレート３、  の１は、中空で、空洞が１個か、或いは２個、又は３個を設けて、２個のネジの孔があり、平面から見てフェース側の幅がバックフェース側の幅より広い形で平面形状が略台形体で、又は略平行で、プレートを横から見て、バックフェース側に徐々に高くなるクサビ状で、重さの違いが数種あり、ソールプレートのフェース側の高さがヘッドのソール面と面一である様にヘッドに組みこまれることを特徴とする請求項１に記載のゴルフクラブ。
【請求項９】
前記ソールプレート３、  の２は、中空で、空洞が１個か、或いは２個、又は３個を設けて２個のネジの孔があり、平面形体が、ソールプレートの横の線、ソールプレートの縦の線及びソールプレートの縦の線その１を結ぶ線が略曲線状の略台形体で、又は略平行で、横から見てバックフェース側に徐々に高くなるクサビ状の形体で、重さの違いが数種あり、ソールプレートのフェース側の高さがヘッドのソール面と面一である様にヘッドに組みこまれることを特徴とする請求項１に記載のゴルフクラブ。
【請求項１０】
前記ソールプレート３、  の３は、中空で、空洞が１個か或いは２個、又は３個を設けて、２個のネジの孔があり、平面から見てフェース側の幅がバックフェース側の幅より広い形で、平面形状が略台形体で、又は略平行で、プレートを横から見て、バックフェース側に徐々に高くなるクサビ状で、プレートを横から見て、上側の線が略曲線状で、重さの違いが数種あり、ソールプレートのフェース側の高さがヘッドのソール面と面一であるある様にヘッドに組みこまれることを特徴とする請求項１に記載のゴルフクラブ。
【請求項１１】
前記ソールプレート４、  の１は、空洞の箱形で、固定のための２本のネジの孔があり、箱形の空洞の形状が、プレートの内側に１つの部屋にした形で、底側に２本のネジのための孔があり、平面から見てフェース側の幅がバックフェース側の幅より広い形の略台形体で、又は略平行で、プレートを横から見て、バックフェース側に徐々に高くなるクサビ状、重さの違いが数種あり、ソールプレートのフェース側の高さがヘッドのソール面と面一である様にヘッドに組みこまれることを特徴とする請求項１に記載のゴルフクラブ。
【請求項１２】
前記ソールプレート４、の２は、空洞の箱形で、固定のための２本のネジの孔があり、箱形の空洞の形状が、プレートの内側に１つの部屋とした形で、底側に２本のネジのための孔があり、平面形体が、ソールプレートの横の線、ソールプレートの縦の線及びソールプレートの縦の線その１を結ぶ線が略曲線状の略台形体で、又は略平行で、横から見てバックフェース側に徐々に高くなるクサビ状の形体で、重さの違いが数種あり、ソールプレートのフェース側の高さがヘッドのソール面と面一である様にヘッドに組みこまれることを特徴とする請求項１に記載のゴルフクラブ。
【請求項１３】
前記ソールプレート４、の３は、空洞の箱形で、固定のための２本のネジの孔があり、箱形の空洞の形状が、プレートの内側に１つの部屋とした形で、底側に２本のネジのための孔があり平面から見てフェース側の幅がバックフェース側の幅より広い形で、平面形状が略台形体で、又は略平行で、プレートを横から見て、バックフェース側に徐々に高くなるクサビ状で、プレートを横から見て、上側の線が略曲線状で、重さの違いが数種あり、ソールプレートのフェース側の高さがヘッドのソール面と面一であるある様にヘッドに組みこまれることを特徴とする請求項１に記載のゴルフクラブ。
【請求項１４】
前記ソールプレート１、ソールプレート２、ソールプレート３、ソールプレート４のうちいずれか１つを使う際に、クサビ状のプレートで、孔なしの調整板を微調整に使うことを特徴とする請求項１に記載の調整板。
【請求項１５】
前記ソールプレート１、ソールプレート２、ソールプレート３、ソールプレート４のうちいずれか１を使う際に、クサビ状のプレートで、孔ありの調整板を微調整に使うことを特徴とする請求項１に記載の調整板。
【考案の詳細な説明】
【技術分野】
【０００１】    本考案は、ゴルフクラブヘッドに関し、ヘッドのソールの角度を調整することに関するものである。
【背景技術】
【０００２】    一般的に、ヘッドの材料は、金属で作られていて、ヘッド自体の調整が極めて困難であり、ゴルフ用具の規則に於いて、調整機能を持ったクラブが禁止されていたが、規則が近年緩められてきた。  ボールの飛ぶ方向の制御は、概ねシャフトに依存する傾向であったが、シャフトの取り付け方法や、ヘッドのソールの角度を調整する考えが、出始めている。【０００３】    時代の変遷と共に、顧客の要望が高度になり、さまざまな要求に応えねばならなくなっている。スイングの調整には、限度があり、本人が思うような球の筋を得られにくい問題がある。
そこで、調整可能なクラブが提案されているが、本件では角度等のついての調整に関するものである。【０００４】      また、先行物件の一つに，ＰＣＴ／ＪＰ２００５／０１１４１２号がある。
この考案も、調整に関するものであるが、調整に専門的な技量の必要な部分がある。【０００５】      いずれのものも、若干ネジの機構が、難しく専門的知識が必要であろう。
［先行文献１］  ＰＣＴ／ＪＰ２００５／０１１４１２
【考案の開示】
【考案が解決しようとする課題】
【０００６】    該ゴルフクラブヘッドに於いて、調整機能を持たせるために、ゴルフクラブの付属規則に抵触することなく、一般の人でも部品の交換のみで調整が出来ることで、フェース角等の調整を簡単にすることを主眼とするものである。
部品の交換は、ゴルフ用具規則で許されるが、調整性について、細目なるゴルフ用具の規則的な専門的判断が必要である。  本件が、新しいゴルフクラブの規則に適合する機構で，フェース角等を簡単に調整することを課題とする。
尚、フェース角等とは、フェース角が変化すると、見掛けのロフト角やライ角が、相関的に変わる場合があるので、ここでは、フェース角等  とする。見掛けのロフトについては、後で記載する。
【課題を解決するための手段】
【０００７】    請求項１のゴルフクラブヘッドは、該ヘッドのソール面に凹設された部分に、角度等を調整するのに、ソールプレート１、ソールプレート２，ソールプレート３、ソールプレート４の内１つを選び、２本のネジでソールプレートをヘッドの凹み部に固着するものである。  更に微調整を求めるなら、ネジを外して、数種類の用意されているソールプレートの１個を好みによって選び、交換し、微調整の場合、孔なし  の調整板１５か、或いは、孔ありの調整板１６をソールプレートとヘッドの凹み部１４の底との間に入れて挟み、２本のネジで  固着するのであり、この簡単な作業で、図１２に示す様にフェース角等が変化する。
尚図１２の説明は後の段落［００２３］から記述する。【０００８】  ソールプレート１は、ムク状の物、ソールプレート２は、箱形の物、ソールプレート３は、中空の物、更に、ソールプレート４は、空洞の略箱形の物、それぞれ違った形が３種。即ち、１２種の形の違った  プレートがある。１の１、１の２、１の３、／２の１、２の２、２の３、／３の１、３の２、３の３、／４の１、４の２、４の３、としての、ソールプレートを次から説明する。【０００９】      ソールプレート１の１は、ムク状で、２個の孔があり、平面から見てフェース側の幅がバックフェース側の幅より広い形体で、平面形状が略台形体、又は略平行で、プレートを横から見て、バックフェース側に徐々に高くなるクサビ状で、重さの違いが数種類あり、ソールプレートのフェース側の高さがヘッドのソール面と面一であるソ−ルプレート。                                                          ［請求項２］の物。【００１０】      ソールプレート１の２は、ムク状で、２個の孔があり、  平面形体が、ソールプレートの横の線、ソールプレートの縦の線及びソールプレートの縦の線その１を結ぶ線が略曲線状の略台形体で、又は略平行で、横から見てバックフェース側に徐々に高くなるクサビ状の形体で、重さの違いが数種あり、ソールプレートのフェース側の高さがヘッドのソール面と面一であるソールプレート。                          ［請求項３］の物。
この種の形状の必要性について、（最良の形態の項）で述べる。【００１１】ソールプレート１の３は、ムク状で、２個の孔があり、平面から見てフェース側の幅がバックフェース側の幅より広い形が略台形体で、又は略平行で、プレートを横から見て、バックフェース側に徐々に高くなるクサビ状で、プレートを横から見て、上側の線が略曲線状で（平面が略曲面状）、重さの違いが数種あり、ソールプレートのフェースの高さがヘッドのソール面と面一であるソールプレート。                  ［請求項］４の物。
この種の形状の必要性について、（最良の形態の項）で述べる。
次にソールプレート２の１、２の２、２の３，について説明する。【００１２】      ソールプレート２の１は、底側に蓋がない箱型で、２個の孔があり、平面形が、フェース側の幅がバックフェース側の幅より広い形体で、平面形状が略台形体で、又は略平行で、プレートを横から見て、バックフェース側に徐々に高くなるクサビ状で、重さの違いが、数種類あり、ソールプレートのフェース側の高さがヘッドのソール面と面一であるソールプレート
（請求項５）の物。【００１３】      ソールプレート２の２は、底側に蓋がない箱型で、２個の孔があり平面形体が、ソールプレートの横の線、ソールプレートの縦の線及びソールプレートの縦の線その１を結ぶ線が略曲線状の略台形体で、又は略平行で、横から見てバックフェース側に徐々に高くなるクサビ状の形体で、重さの違いが数種あり、ソールプレートのフェース側の高さがヘッドのソール面と面一であるソールプレート。
（請求項６）の物。
この種の略曲線状の必要性については、（最良の形態）で述べる。【００１４】      ソールプレート２の３は、底側に蓋がない箱型で、２個の孔があり平面から見てフェース側の幅がバックフェース側の幅より広い形体で、平面形状が略台形で、又は略平行で、プレートを横から見て、バックフェース側に徐々に高くなるクサビ状で、プレートを横から見て、上側の線が略曲線状で（平面が略曲面状）、重さの違いが数種あり、ソールプレートのフェース側の高さがヘッドのソール面と面一であるソールプレート。
（請求項７）の物。
この種の略曲線（平面が曲面状）の必要性については、（最良の形態）で述べる。【００１５】      次にソールプレート３の１，２，３について説明する。
ソールプレート３、の１は、中空で、空洞が１個か，或いは２個、又は３個を設け，２個のネジの孔があり，平面から見てフェース側の幅がバックフェース側の幅より広い形体で，平面形状が略台形体で、プレートを横から見て、バックフェース側に徐々に高くなるクサビ状で，重さの違いが数種あり、ソールプレートのフェー側の高さがヘッドのソール面と面一であるソールプレート。
（請求項８）の物。【００１６】      ソールプレート３、の２は、中空で、空洞が１個か、或いは２個、又は３個を設け，２個のネジの孔があり、平面形状が、ソールプレートの横の線、ソールプレートの縦の線及びソールプレートの縦の線その１を結ぶ線が略曲線状の略台形で、又は略平行で，横から見てバックフェース側に徐々に高くなるクサビ状の形体で、重さの違いが数種類あり、ソールプレートのフェース側の高さがヘッドのソール面と面一であるソールプレート
（請求項９）の物。
この種の略曲線（平面が曲線状）の必要性については、（最良の形態）で述べる。【００１７】      ソールプレート３、の３は、中空で、空洞が１個か、或いは２個、又は３個を設けて２個のネジの孔があり、平面から見てフェース側の幅がバックフェースより広い形で、平面形状が略台形体で、又は略平行で、プレートを横から見て、バックフェース側に徐々に高くなるクサビ状で、プレートを横から見て、上側の線が略曲線状で（平面が略曲面状）、重さの違いが数種類あり、ソールプレートのフェース側の高さがヘッドのソール面と面一であるソールプレート。                                （請求項１０）の物。
この種の略曲線状（平面が略曲面状）の必要性については、（最良の形態）で述べる。【００１８】  次に  ４の１，２，３について、        ソールプレート４、の１は、空洞の箱形で、固定のための２本のネジの孔があり、箱形の空洞の形状が、プレートの内側に１つの部屋にした形で、底側に２本のネジのための孔があり、平面から見てフェース側の幅がバックフェース側の幅より広い形の略台形体で、又は略平行で、プレートを横から見て、バックフェース側に徐々に高くなるクサビ状、重さの違いが数種あり、ソールプレートのフェース側の高さがヘッドのソール面と面一である様にヘッドに組みこまれることを特徴とする請求項１に記載のソールプレート。
（請求項１１）の物。【００１９】      ソールプレート４、の２は、空洞の箱形で、固定のための２本のネジの孔があり、箱形の空洞の形状が、プレートの内側に１つの部屋にした形で、底側に２本のネジのための孔があり、平面形体が、ソールプレートの横の線、ソールプレートの縦の線及びソールプレートの縦の線その１を結ぶ線が略曲線状の略台形体で、又は略平行で、横から見てバックフェース側に徐々に高くなるクサビ状の形体で、重さの違いが数種あり、ソールプレートのフェース側の高さがヘッドのソール面と面一である様にヘッドに組みこまれることを特徴とする請求項１に記載のソールプレート。
（請求項１２）の物。【００２０】      ソ−ルプレート４、の３は、空洞の箱形で、固定のための２本のネジの孔があり、箱形の空洞の形状が、プレートの内側に１つの部屋にした形で、底側に２本のネジのための孔があり平面から見てフェース側の幅がバックフェース側の幅より広い形で、平面形状が略台形体で、又は略平行で、プレートを横から見て、バックフェース側に徐々に高くなるクサビ状で、プレートを横から見て、上側の線が略曲線状で（平面が略曲面状）、重さの違いが数種あり、ソールプレートのフェース側の高さがヘッドのソール面と面一であるある様にヘッドに組みこまれることを特徴とする請求項１に記載のソールプレート。
（請求項１３）の物。
ソールプレート４、の２、と３についての形状の必要性は、［００３８］で記載する。【００２１】      以上が、１２種類のソールプレートであり、このなかの１つを選び該ヘッドの凹み部１４へ組み入れて、固定のためのネジ４を２本で固着するのである。
プレートを横から見て、バックフェース側に徐々に高くなるクサビ状での形状は、１２種類とも高さ（１１）が違う物を用意されている。その理由は、高さが違うプレートを交換するだけで、調整が出来ることを基本形的にしているのである。【００２２】      更に微調整を求める場合は、孔なしの調整板１５又は、孔ありの調整板１６のいずれか１つで、ソールプレートと、凹み部１４との間に挟み入れて、２本のネジで固着する。                                            （請求項１４、請求項１５）の物。
調整板は、片方が厚く出来ていて、厚い方を、バックフェース側に向けて装着するが、ソールプレートの、横の線２１より、若干短く作られている。これらを使用すれば、どの様な変化をするかに就いては、効果の項で，説明する。尚重複するが、ソールの面と面一とは、ソールプレートのフェース側の高さ（厚さ）が、ヘッドのソールの面１９と面一であることである。理由は、フェースのソール側にプレートが出ていると、打撃の際に抵抗が生じ効果を減じ、また、ゴルフクラブ規則に低触する場合がある。
本件の形状の設計でのバックフェース側の高さについては、ゴルフクラブ規則に順ずる形体である。
【考案の効果】
【００２３】      本願各請求項の考案は、上記の構成により以下の効果を説明する。
（１）該ゴルフクラブヘッドの凹み部１４に組み入れられる１２種類のソールプレートの内、１つを選び、２本のネジで固着すると、フェース角等  は変化する。図１２について，フェース角等の変化の説明をする。
ヘッドの軸線Ａは、シャフトの軸線でもあり、リアルロフトの計測に関係する。リアルロフトとは、ヘッドのフェースとシャフトの軸線の間の角度を呼称したものである、この件に就いては、別件であるので、ここでは、割愛する。
地面の線ＧとＣの線の角は、正しいロフト角ではない。地面の線ＧとＣの線の間の角は、ここでは、見かけのロフトとする。【００２４】    見かけのロフトについて説明する。
見かけとは、図１３の（Ｘ）、（Ｙ）、（Ｚ）で、地面の線Ｇとヘッドのロフトの線及びＬ１又はＬ２の線である。  自然の芝生の状態は凹凸があり、微妙な変化があり、一様でなく、正しいロフト角ではない。しかしここでは、ソールプレートのバックフェース側が高くなり、また低くなったりすることで、見かけのロフト角等は変化する。同時にフェース角も変化する。（ソール  インバーションの角度と呼ぶことも出来る）
更に、ソールの面の角度が変化すると、図１３の（Ｚ）のＢの線が変化して大切なフェース角（打球面）等が変化す。
ボールの飛びだし角度や左右の方向に影響が生じるのである。
尚シャフトの挿入方向にも関係するが、別件となるので割愛する。【００２５】      ソールプレートの高さ（バックフェース側のみ）を調整し、（プレートを交換する）、高くすると、ソールプレートの端が高くなり、即ち、Ｌ２が直角に近くなり、本考案の目的であるフェース角が、図１３の（Ｚ）のＢの線（フェース角）が左側に変化する。逆の場合は、ソールプレートが低くさせると（プレートを交換する）、図１３の（Ｚ）のＢの線が右側に変化して、Ａの線に近くなり、フェース面が右側に変化して、ボールの飛ぶ方向が右に行くことになる。【００２６】      本件の数種類のソールプレートを１つ選び交換し、ヘッドの凹み部へ、２本のネジで固着すれば、ヘッドのバックフェース側の高さが変化して、図１３の（Ｘ）の示すＳが、所望の高さに調整で出来るのである。するとボールの飛ぶ方向が、左右に変化して、本考案の目的が出来るのである。【００２７】      微調整の場合は、孔なしの調整板１５か、又は孔あり調整板１６のうち、１個ないし、複数枚重ねて、プレートの下と凹み部へ挟みいれて、２本のネジで固着するのである。
微調整の角度数値は、フェース角が調整板１枚で、プラス、約０，５度であり、複数枚から１減らせばマイナス約０，５度である。当然、フェース角が変化するのである。
（２）本考案の効果は、クラブの所有者が製造者から、ゴルフ規則に合致した、所望のプレートを入手して、２本のネジで交換するのみにて、所望のフェース角等の調整が出来て、詳細なゴルフクラブ規則の抵触にならず、簡単に調整が可能である。
【考案を実施するための最良の形態】
【００２８】      請求項２、  １の１のプレートは、ムク状で台形のクサビ型のソールプレートについて、
ソールプレート１の１は、本件の基本形になるが、ムクであり、主として、ヘアーエーウッド用に適し、ヘアーウエーウッドのヘッドがドライバーに比較して重量が重く出来ているので、ムク状が適している。角度調整の効果は、略同じであるが、ゴルフクラブは、重量について、微妙な、要望があるので、重量の差がある種類が多い方が良い。【００２９】        形の必然性について、
請求項３，１の２、ムク状で、平面形状が曲線状でクサビ型のソールプレートについて、
平面形状が曲線状のプレートは、該ヘッドのソール形状が凹凸した場合、丸みのあるプレートが、装着しやすいし、かどばった形状だと、該ヘッドのソールが凹凸のある場合プレートの端のカドの出パリが生じやすく、設計に不具合が生じやすいので、丸みのあるプレートが必要である。該ウッド形ヘッドのソール形状に凹凸のある場合用に適するである。プレートの平面形状が曲線形状の必要性が、前記段落
［００１０］の記載の場合の説明である。【００３０】      請求項４、１の３、  ムク状で、横から見て上側の面が略曲線の形体のソールプレートについて、（平面が略曲面状）
ソールプレートの平面形状が曲面状の形体の場合の特徴は、該ヘアーウエーウッドの時に於いて、ヘッドのソール面が、地面の線Ｇに対して、接地面積は少ない方が、打撃の際の抵抗が少ないものである。所謂抜けが良くなるのである。ソールプレートが湾曲した面があると、低い面は、接地が少なく、抵抗が少ないのである。【００３１】      請求項５、  ２の１、箱形のソールプレートについて、
主として、概ね、該ドライバーヘッドの場合に適するもので、ドライバーヘッドがヘッドの内，最も軽くする必要があり、軽量化のため、蓋のない箱型が適するのである。しかも、重量調整の為に、箱型で肉厚の違う種類を用意するのである。【００３２】      請求項６、  ２の２、平面形体が曲線状で、箱形で、クサビ型ソールプレートについて、プレートの底側に蓋がない箱型で、２個の孔があり平面形体が、略曲線状見てクサビ状の形体で、重さの違いが数種あり、ソールプレートは、前の段落［００２９］で述べた様に該ヘッドのソールの面に凹凸があるものに適するのである。【００３３】      請求項７、  ２の３、上側の線が曲線状のクサビ型で、箱形のものについて、（平面が略曲面状）
底側に蓋がない箱型で、２個の孔があり、ソールプレートの平面形状が曲面状の形体の場合の特徴は、該ヘアーウエーウッドの時に於いて、接地面積は少ない方が、打撃の際の抵抗が少ないものである。  所謂，抜けが良くなるのである。湾曲した面の低い面は接地が少なく、抵抗が少ないのである。しかも、重さの違いが数種ある。【００３４】      請求項８、  ３の１，中空で、クサビ型で略台形のソールプレートについて、
ソールプレート３、の１は、中空で、空洞が１個か、或いは２個又は３個を設けたが、重量を調節するためだけでなく、箱形より、凹み部へプレートの接地面積が大きいので取り付けたとき、より密着力が大きく、かつ、空洞なため軽量が可能である。１    個は、或いは２個又は３個としたのは、重量の種類を多くするためである。【００３５】      請求項９、  ３の２、の中空で、平面形体が略曲線状でクサビ型のソールプレートについて、
ソールプレート３の２は、中空で、平面形体が曲線状で、クサビ型での、ソールプレートは、段落［００２９］で述べた様に該ヘッドのソールの面に凹凸があるものに適するのである。箱形より、凹み部への接地面積が大きくて、軽量化も可能である。しかも空洞を１個か、２個あるいは３個としたのは、重量の種類を多くするために役立のである。【００３６】      請求項１０、  ３の３の、中空で、上側の線が曲線状で、クサビ型で、２個の孔がある、ソールプレートについて、
上側の線が曲線状で（平面が略曲面状）、クサビ型で、２個の孔があるソールプレートの場合は、該ヘアーウエーウッドの時に於いて、接地面積は少ない方が、打撃の際の抵が少ないものである。所謂抜けが良くなるのである。ソールプレートが湾曲したもので、低い面があると、接地面が少なく、抵抗が少ないのである。しかも、空洞を１個か、或いは２個、又は３個としたのは、重量の種類を多くするために役立つ  のである。【００３７】      請求項１１、のソールプレート４の１の空洞の箱形で、固定のための２本のネジの孔があり、箱形の空洞の形状が、プレートの内側に１つの部屋にした形で、底側に２本のネジのための孔がある、ソールプレートについて、
空洞は、前記ソールプレート３に於いても空洞があるが、ソールプレート４は内側が１つの部屋の形状での空間があるので、打撃の際に、打球音が高く、快音が出易く、かつ、箱形（ソールプレート２）と比較して、該ヘッドの凹み部への接地面積が広く、固着力が大きく、空洞のため、プレートの軽量化に適している。主としてドライバー用に適応し易い。【００３８】      請求項  １２、のソールプレート４の２の形状の特徴の必然性は、該ヘッドのソールの面に凹凸の或る場合に適するのである。  これについての説明は、［００２９］に記載した形体の理由と同様であるがドライバー用にも適用し易い。
請求項  １３、のソールプレート４の３の形体の特徴の必然性は、［００３０］に記載した形体の理由と同様であるがヘアーウエーのヘッド用にも適用し易い。【００３９】      形状の違うソールプレートが１２種あり、その内の１個を選ぶが、該ヘッドの形状に適応したものを、選び使用するのである。尚調整板を併用する場合もある。そして、所望のゴルフクラブの調整の形状が得られる。【００４０】      請求項１４、  の孔なしの調整板１５ついて、
クラブの角度の調整にあったて、微調整の為にあり、選んだ、所望のプレートを凹み部の間に挟みいれて、クサビ状の厚い方を、バックフェース２０側に向けて、２本のネジで固着する。【００４１】      請求項１５、  の孔ありの調整板１６ついて、
クラブの角度の調整にあったて、微調整の為にあり、選んだ、所望のプレートを凹み部の間に挟みいれて、クサビ状の厚い方を、バックフェース２０側に向けて、２本のネジで固着する。孔なしの調整板１５との違いは、調整板の孔  １３に、バックフェース側のネジを通して、プレートを固着すれば、調整板がずれ動かないのである。調整板１５、１６は、ソールプレートの、横の線２１より、若干短く、また幅が略同じ幅で、作られている。【００４２】      以上［００２８］から［００４１］までの説明に於いて、数種類のソールプレートの内の１つを選び、これを、ヘッドの凹み部に２本のネジで固着し、微調整の場合、調整板１６又は調整板１５の１枚か、複数枚を重ねて使う、即ち、１枚か複数枚を選び、組み込めば、本願の、所望の調整した角度等のゴルフクラブの形態が得られるのである。
【実施例１】
【００４３】      実施例１に係わるゴルフクラブヘッド本体１について、図１，図２に基いて説明する。【００４４】      図１は、ソールプレートが、ヘッドの凹み部へ装着されている図である。【００４５】      図２は、ヘッドのソールプレートが組み込まれた、断面図である。
ソールプレートが組み込まれた、完成図を示している。【００４６】      ゴルフクラブは、ヘッドとシャフト及びグリップで、構成されていが、本件は、ソール  プレートに特徴があるので、請求項２、以下のソールプレート  のプレートについて説明する。【００４７】      ソールプレート１，２，３、４は、ヘッドの  凹み部１４の中に組み入れて、機能し、２本のネジ４で固定するが、ソールプレートの高さ１１の高さの異なるもの等をあらかじめ数種類用意しプレーヤーの好みに応じて交換するものである。【００４８】      請求項に記載されている、ソールプレート１、２、３、４は、金属又は樹脂で作られ、また、金属と樹脂の合成でも作られている。金属と樹脂の合成はソールプレートをより強固にして軽く出来る。【００４９】      前記の各段落で説明してごとく、数種類のプレートを、好みに応じて選ぶことである。ソールプレート１が、基本的な形状であるが、実施にあたって、該ゴルフヘッドの形状によって数種のプレートのうち１個を選ぶのである。  １つの例として、該ヘッドのソールの形状が凹凸のある場合には、プレートの平面形体が曲線形体のものが適する。
【実施例２】
【００５０】      ソールプレート３の様に、上側の線が略曲状の場合は、主として、該ヘアーウエーウッドのクラブに適する場合であり、打撃に際に、抵抗感の少ないことを、所望するときに適する。【００５１】      ソールプレート２の様に、箱型の場合は、主として、ドライバーヘッドの適するもので、ドライバーヘッドはクラブの中で最も軽量で、軽くする要望が多いので、箱型のプレートがドライバーのクラブに適するのである。しかし、採用される該ヘッドの形状が違っても適する範囲が広い。
ソールプレートの中空の形の物は、軽く出来るとともに、箱型に較べて、凹み部に接地する面が大きく固定力が強いのである。
【実施例３】
【００５２】      ソールプレート４の様に、空洞の箱形の特徴は、プレートの内側が１つの部屋の形で、軽量化、及び該ヘッドの凹み部１４の底の面と、プレートの底の面、との接地面積が大きく、固着力が大きいのである。空洞であるので、軽量化が出来るので、ドライバーに概ね適する。本願の角度等の調整する機構に関して、該ヘッドに凹み部１４に組み込むことが同じであり、角度の変化の程度も略同じであり、調整板も２種あるが、ともに同じ作用である。しかし各形態が違う。重複するが、本件のプレートは、数種類あり、該ヘッドのソール形状に合致したものを、選ぶのである。【００５３】      調整板は、孔なしの調整板１５と、孔ありの調整板１６の２種があるが、いずれの１つを選び、プレートとヘッドに凹み部１４の間に挟みいれて、２本のネジで固着するのである。  尚複数枚を使う場合もある。【００５４】      本件のプレートは、数種類あるが、いずれも、裏側と表を取り違えないコとである。ソールプレートのムク状の場合は、幅が狭い方が、バックフェース側に向けて装着するものである、しかし表には、グラム数と記号が表示されている。
【図面の簡単な説明】
【００５５】
【図１】図１は，ゴルフクラブヘッドのソール面の斜視図である。
【図２】図２は，ゴルフクラブヘッドの図１におけるｖ−ｖ矢視断面図である。
【図３】図３は，ゴルフクラブヘッドのソール（底）の凹み部に組み込まれソールプレート１の１である。プレート（板状）のＱ−Ｑ矢視断面図である。ムク状で、高さが高いものである。プレート１
【図４】図４は，ゴルフクラブヘッドの  ソール（底）の凹み部  に組み込まれるプレート（板状）で，ムク状で、高さが低いものである。プレート１
【図５】図５は，図３のＱ−Ｑの矢視断面図
【図６】図６は，上面の線が略曲線状のプレートの断面図、
【図７】図７は、箱型のプレートの図  及び調整板に位置の図，選択図  プレート２
【図８】図８は，箱型のプレートの裏側の図
【図９】図９は，中空のプレート（板状）の図、Ｐ−Ｐの斜視断面図である。プレート３
【図１０】図１０は，図９のＰ−Ｐ  矢視断面図である。
【図１１】図１１は，孔ありの調整板（フェース側に薄い方を向ける）
【図１２】図１２は、孔なしの調整板（１８をバックフェース側に向ける）
【図１３】図１３は、調整の関する角度等の説明の図  図１３の（Ｚ）フェース角の変化  Ｂが変化  図１３の（Ｙ）Ｌ１  見かけのロフト角  図１３の（Ｘ）Ｌ２  見かけのロフロ角  Ｄの線が変化の図
【図１４】プレート４の図、「空洞の箱型」のプレート
【図１５】プレート４の図のＴ−Ｔ斜視断面の図
【符号の説明】
【００５６】  １    ゴルフクラブヘッドの本体、図１
２    ヘッドのフェース、（打球面）図２
３    ホーゼルの孔、図２
４    ネジ、図２
５    ソールプレート、図１
６    調整板、図１１、図１２
７    ネジの螺入孔、図２
８    ソールプレートの淵、図８
９    ソールプレートの中空、（空洞）図９
１１  ソールプレートの高さ、図８、図３、
１１−１  ソールプレートの低さ、図４
１２  ソールプレートのフェース側の高さ、図４
１３  調整板の孔、図１１
１４  凹み部  図２
１５  孔なしの調整板、図１１
１６  孔ありの調整板、図１２
１７  調整板の端（フェース側）、図１１
１８  調整板の端（フェースの反対側に設置）、図１１
１９  ヘッドのソール面、図１
２０  バックフェース、図１
２１  ソールプレートの横の線  図８、
２１−１  ソールプレートの縦の線その１  図７
２２  ソールプレートの縦の線  図８、
２５  プレート  １  図３の物（ムク状）
２６  プレート  ２  図８の物（箱形）
２７  プレート  図６、上側の線が曲腺状の物の断面図、（平面が曲面状）
２８  プレート  ３  図９の物（中空）空洞
３０  上側の線（略曲線の場合あり）、図６
３１  下側の線（図１５に示す）
３２  空洞  図１５の空洞の箱形
Ａ    ヘッドの軸線、（シャフトの軸線でもある）図１３
Ｓ    ＧとＤの線の高さの差、図１３で、以下同じ図である。
Ｄ    ソール  インバーションの線
Ｇ    地面の線
Ｌ１  見かけのロフト角
Ｌ２  見かけのロフト角
Ｃ    Ｌ１とＬ２の線
【図１】
0003136800.tif 000003
【図２】
0003136800.tif 000004
【図３】
0003136800.tif 000005
【図４】
0003136800.tif 000006
【図５】
0003136800.tif 000007
【図６】
0003136800.tif 000008
【図７】
0003136800.tif 000009
【図８】
0003136800.tif 000010
【図９】
0003136800.tif 000011
【図１０】
0003136800.tif 000012
【図１１】
0003136800.tif 000013
【図１２】
0003136800.tif 000014
【図１３】
0003136800.tif 000015
【図１４】
0003136800.tif 000016
【図１５】
0003136800.tif 000017